(57)【要約】【要約書】  【課題】複数チャンネルの音声信号を出力する音響装置において、一部のチャンネルスピーカに対応するチャンネル音声信号をワイヤード伝送し、他のチャンネルスピーカに対応するチャンネル音声信号をワイヤレス伝送する場合に、各スピーカから時間差が生じることがなく音声を出力させる。【解決手段】複数チャンネルの音声信号を出力し、複数チャンネルの音声信号のうち少なくとも一部のチャンネルの音声信号をワイヤードで伝送する音響装置において、複数チャンネルのうち他のチャンネルの音声信号をワイヤレス伝送するワイヤレス送信手段及び受信手段と、前記一部のチャンネルの音声信号のワイヤード伝送を他のチャンネルの音声信号のワイヤレス伝送に対して遅延させる音声信号処理手段とを備えており、この音声信号処理手段は、ワイヤード伝送に対してワイヤレス伝送が遅れる時間に相当する時間分前記遅延を行う。【選択図】  図１
2005184428.tif 000002
【特許請求の範囲】
【請求項１】
複数チャンネルの音声信号を出力し、複数チャンネルの音声信号のうち少なくとも一部のチャンネルの音声信号をワイヤードで伝送する音響装置において、
複数チャンネルのうち他のチャンネルの音声信号をワイヤレス伝送するワイヤレス送信手段及び受信手段と、前記一部のチャンネルの音声信号のワイヤード伝送を他のチャンネルの音声信号のワイヤレス伝送に対して遅延させる音声信号処理手段とを備えていることを特徴とする音響装置。
【請求項２】
複数チャンネルに対応したスピーカを備え、前記受信手段は前記他のチャンネルに対応したスピーカのうち少なくとも一つに設けられていることを特徴とする請求項１に記載の音響装置。
【請求項３】
前記音声信号処理手段は、ワイヤード伝送に対してワイヤレス伝送が遅れる時間に相当する時間分遅延させることを特徴とする請求項１又は請求項２に記載の音響装置。
【請求項４】
前記音声信号処理部は、前記他のチャンネルの音声信号をワイヤード伝送する場合には、前記他のチャンネルの音声信号の伝送における遅延を行わないことを特徴とする請求項１乃至請求項３のいずれかに記載の音響装置。
【請求項５】
前記他のチャンネルの音声信号のワイヤード伝送は、前記他のチャンネルの音声信号をワイヤード伝送するための接続手段の接続検知により行うことを特徴とする請求項４に記載の音響装置。
【発明の詳細な説明】
【技術分野】
【０００１】
本発明は、複数チャンネルの音声信号を出力する音響装置に関し、特にその一部のチャンネル音声信号を対応するチャンネルスピーカにワイヤレス伝送する音響装置に関するものである。
【背景技術】
【０００２】
従来、複数チャンネルの音声信号を出力する音響装置において、各チャンネル音声信号に対応してチャンネルスピーカが設けられ、各チャンネルスピーカに対応するチャンネル音声信号をワイヤレス伝送することが可能な音響装置が知られている。このような音響装置においては、各チャンネルスピーカに音響装置本体から各チャンネル音声信号を伝送するためのケーブルを設ける必要がないため、煩わしい配線作業を不要にすることができる。また、ケーブルを引き回す必要がないため、ケーブルが床を這うことによる美観への悪影響を最小限にすることができると共に、ユーザがケーブルにつまずくことにより事故が発生するということも防止することができる。しかし、ワイヤレス伝送を行う場合、使用環境によっては、予期せぬ電波障害や同じ周波数帯を用いた他のワイヤレス装置などの干渉によって正常にワイヤレス伝送が出来ない場合がある。そこで、ワイヤレス伝送からケーブルを用いたワイヤード伝送に切り替えることにより、正常にチャンネル音声信号を伝送できるよう配慮されているものもある。
【特許文献１】特開平６−１２５５８２号公報
【発明の開示】
【発明が解決しようとする課題】
【０００３】
ところで、４チャンネル（フロント左チャンネル、フロント右チャンネル、リア左チャンネル、リア右チャンネル）以上のチャンネル音声信号を出力する複数チャンネル音響装置において、スピーカへのチャンネル音声信号をワイヤレス伝送する場合には、ワイヤードで伝送すると特にケーブルを長く引き回すことが必要になってしまうリアスピーカへのチャンネル音声信号についてのみワイヤレス伝送を行うことが考えられる。ワイヤレス伝送では、デジタル信号処理を行う際のバッファリング処理やＲＦエンコード／デコード処理にある程度の時間が必要であるため、ワイヤード伝送に比べて多くの伝送時間を要する。従ってリアスピーカにワイヤレス伝送で、その他のスピーカにワイヤード伝送でチャンネル音声信号を送った場合、リアスピーカからのチャンネル音声信号の出力と、他のチャンネルスピーカからのチャンネル音声信号の出力に時間差が生じてしまう。各スピーカから音声の出力に時間差が生じると、意図された本来の音場が形成されず、出力される音声の良好な聴取を阻害してしまう虞があった。
【０００４】
本発明は、このような問題に鑑みてなされたものであり、複数チャンネルの音声信号を出力する音響装置において、一部のチャンネルスピーカに対応するチャンネル音声信号をワイヤード伝送し、他のチャンネルスピーカに対応するチャンネル音声信号をワイヤレス伝送する場合に、各チャンネルスピーカから時間差が生じることがなく音声を出力させることが可能な音響装置を提供することを目的とする。
【課題を解決するための手段】
【０００５】
請求項１に記載の音響装置は、複数チャンネルの音声信号を出力し、複数チャンネルの音声信号のうち少なくとも一部のチャンネルの音声信号をワイヤードで伝送する音響装置において、
複数チャンネルのうち他のチャンネルの音声信号をワイヤレス伝送するワイヤレス送信手段及び受信手段と、前記一部のチャンネルの音声信号のワイヤード伝送を他のチャンネルの音声信号のワイヤレス伝送に対して遅延させる音声信号処理手段とを備えていることを特徴とする。
【０００６】
請求項２に記載の音響装置は、請求項１に記載の音響装置において、複数チャンネルに対応したスピーカを備え、前記受信手段は前記他のチャンネルに対応したスピーカのうち少なくとも一つに設けられていることを特徴とする。
【０００７】
請求項３に記載の発明は、請求項１又は請求項２に記載の音響装置において、前記音声信号処理手段は、ワイヤード伝送に対してワイヤレス伝送が遅れる時間に相当する時間分遅延させることを特徴とする。
【０００８】
請求項４に記載の発明は、請求項１乃至請求項３に記載の音響装置において、前記音声信号処理部は、他のチャンネルの音声信号をワイヤード伝送する場合には、他のチャンネルの音声信号の伝送における遅延を行わないことを特徴とする。
【０００９】
請求項５に記載の発明は、請求項４に記載の発明において、他のチャンネルの音声信号のワイヤード伝送は、他のチャンネルの音声信号をワイヤード伝送するための接続手段の接続検知により行うことを特徴とする。
【発明の効果】
【００１０】
本発明の音響装置によれば、複数チャンネルの音声信号を出力し、複数チャンネルの音声信号のうち少なくとも一部のチャンネルの音声信号をワイヤードで伝送する音響装置において、ワイヤード伝送に対して他のチャンネルの音声信号のワイヤレス伝送が遅れる時間に相当する時間分ワイヤード伝送を遅延させるので、各スピーカから時間差が生じることがなく音声を出力させることができる。
【００１１】
また、他のチャンネルの音声信号をワイヤード伝送する場合には、他のチャンネルの音声信号の伝送における遅延を行わないため、他のチャンネルの音声信号の伝送方法をワイヤレス伝送とワーヤード伝送間で切り替え可能な音響装置において、どちらの伝送方法を選択したとしても、各スピーカから時間差が生じることがなく音声を出力させることができる。
【００１２】
さらに、他のチャンネルの音声信号のワイヤード伝送は、他のチャンネルの音声信号をワイヤード伝送するための接続手段の接続検知により行うため、ワイヤード伝送する場合に必要となる音響装置への接続手段の接続に伴って自動的に遅延処理の有無を切り替えることができ、例えばユーザがワイヤレスからワイヤードへの接続の切り替えをわざわざ音響装置に入力する等の煩わしい作業の必要がなくなる。
【発明を実施するための最良の形態】
【００１３】
まず、本発明に係る音響装置の一実施例の概略構成について図1、図３を用いて説明する。
【００１４】
音響装置は、メインユニット１とフロントアンプユニット２とリアアンプユニット３の３つのユニットを基本構成としている。フロントアンプユニット２にはフロント左スピーカとフロント右スピーカとセンタースピーカと重低音スピーカの４つのスピーカがワイヤード接続され、リアアンプユニット３にはリア左スピーカとリア右スピーカの２つのスピーカがワイヤード接続される。以下、これらの各ユニットの具体的構成について説明する。
【００１５】
メインユニット１は、制御部４と音声信号発生部５と音声信号処理部６とＤ／Ａ変換部７とから成る。制御部４は、後述する音声信号処理部６に遅延処理を行うか否かについての信号を出力する。音声信号発生部５は、ＤＶＤなどのソースから、図３に示すようにフレーム分割された音声ストリームとして入力された５．１チャンネル（重低音スピーカに対応する重低音チャンネルは０．１チャンネルとする。）のデジタル音声信号を音声信号処理部６に出力する。音声信号処理部６は、音声信号発生部５から出力された５．１チャンネルのデジタル音声信号についてデコード処理及び後述する遅延処理を行う。Ｄ／Ａ変換部７は、音声信号処理部６から出力されたデジタル音声信号をアナログ音声信号に変換し、ケーブルＡを通じてフロントアンプユニット２へ出力する。
【００１６】
フロントアンプユニット２は、３．１チャンネルアンプ部８と切替部Ｆ９とワイヤレス送信ユニット１０とソケット１１とから成る。３．１チャンネルアンプ部８は、５．１チャンネルのアナログ音声信号のうちフロント左チャンネルとフロント右チャンネルとセンターチャンネルと重低音チャンネルのアナログ音声信号を増幅後、ワイヤード接続された各々対応するフロント左スピーカとフロント右スピーカとセンタースピーカと重低音スピーカに出力する。切替部Ｆ９は、ワイヤレス伝送する場合とワイヤード伝送する場合に各々対応して、Ｄ／Ａ変換部（７）からケーブルＡを通ってフロントアンプユニットに入力されたアナログ音声信号の信号出力経路をワイヤレス送信ユニット１０とソケットＦ１１間で切り替える。例えば、ワイヤード伝送の場合は、切替部Ｆ９には、後述するＬＯＷの検知信号が入力され、そのＬＯＷの信号を受けて切替部Ｆ９がアナログ音声信号の信号出力経路をソケットＦ１１側に切替える。ワイヤレス伝送の場合は、切替部Ｆ９には、後述するＨＩＧＨの検知信号が入力され、そのＨＩＧＨの信号を受けて切替部Ｆ９がアナログ音声信号の信号出力経路を後述するワイヤレス送信ユニット１０側に切替える。ワイヤレス送信ユニット１０は、切替部Ｆ９を通過して入力されたリア左チャンネルとリア右チャンネルのアナログ音声信号を、各々デジタル音声信号に変換した後、バッファリング処理及びＲＦエンコード処理を行い、その後後述するワイヤレス受信ユニット１４に向けてワイヤレス送信する。ソケットＦ１１は、フロントアンプユニット２側にてケーブルＢを接続するためのものである。
【００１７】
リアアンプユニット３は、２チャンネルアンプ１２と、切替部Ｒ１３と、ワイヤレス受信ユニット１４と、ソケットＲ１５とから成る。２チャンネルアンプ１２は、リア左チャンネルとリア右チャンネルの音声信号が入力され増幅した後、ワイヤード接続された各々対応するリア左スピーカとリア右スピーカに出力する。切替部Ｒ１３は、ワイヤレス伝送する場合とワイヤレス伝送しない場合に各々対応して、２チャンネルアンプ１２に入力する音声信号の信号出力経路をワイヤレス受信ユニット１４とソケットＲ１５間で切り替える。例えば、ワイヤード伝送の場合は、切替部Ｒ１３には、後述する図４に示した接続検知の場合と同様に、リアアンプユニット３に設けられた図示しない電源とフロントアンプ２に設けられた図示しないアースによってＬＯＷの検知信号が出力され、このＬＯＷの検知信号を受けて切替部Ｒ１３がアナログ音声信号の信号出力経路をソケッＲ１５側に切替える。また、ワイヤレス伝送の場合は、切替部Ｆ１３には、後述するＨＩＧＨの検知信号が入力され、そのＨＩＧＨの信号を受けて切替部Ｒ１３がアナログ音声信号の信号出力経路をワイヤレス受信ユニット１４側に切替える。ワイヤレス受信ユニット１４は、ワイヤレス送信ユニット１０からワイヤレス受信したリア左チャンネルとリア右チャンネルの音声信号をバッファリング処理及びＲＦデコード処理後各々アナログ音声信号に変換し、これらのアナログ音声信号を切替部１３を通じて２チャンネルアンプ１２に出力する。ソケットＲ１５は、リアアンプユニット３側にてケーブルＢを接続するためのものである。
【００１８】
次に、５．１チャンネル音声信号のうちリア左チャンネルとリア右チャンネルの音声信号のみをワイヤレス伝送する場合の音声信号処理の流れについて、図２を用いて説明する。
【００１９】
まず、ＤＶＤから５．１チャンネルのデジタル音声信号が音声信号発生部５に入力される（Ｓ１）。音声信号処理部６では、５．１チャンネルのデジタル音声信号のデコード処理、及び特定チャンネル（フロント左チャンネルとフロント右チャンネルとセンターチャンネルと重低音チャンネル）の音声信号に対して後述する遅延処理が行われる（Ｓ２）。このデジタル音声信号はＤ／Ａ変換部７においてアナログ音声信号に変換された後（Ｓ３）、ケーブルＡを通じてフロントアンプユニット２に入力される。このフロントアンプユニット２に入力された５．１チャンネルのアナログ音声信号のうちフロント左チャンネルとフロント右チャンネルとセンターチャンネルと重低音チャンネルのアナログ音声信号は（Ｓ４のＮ）、３．１チャンネルアンプ部８に入力されて各々増幅された後（Ｓ５）、各々対応するフロント左スピーカとフロント右スピーカとセンタースピーカと重低音スピーカに出力される（Ｓ６）。
【００２０】
一方、この５．１チャンネルのアナログ音声信号のうちリア左チャンネルとリア右チャンネルのアナログ音声信号は（Ｓ４のＹ）、切替部Ｆ９を介して、ワイヤレス送信ユニット１０に入力される。ワイヤレス送信ユニット１０に入力されたリア左チャンネルとリア右チャンネルのアナログ音声信号は、各々デジタル音声信号に変換された後（Ｓ７）、ＲＦエンコード処理及びバッファリング処理され（Ｓ８）、ワイヤレス受信ユニット１４に向けてワイヤレス送信される（Ｓ９）。ワイヤレス受信ユニット１４ではリア左チャンネルとリア右チャンネルのデジタル音声信号を受信し、バッファリング処理及びＲＦデコード処理した後（Ｓ１０）、各々アナログ音声信号に変換する（Ｓ１１）。このアナログ音声信号は切替部Ｒ１３を介して、２チャンネルアンプに入力されて各々増幅された後（Ｓ１２）、各々対応するリア左チャンネルスピーカとリア右チャンネルスピーカに出力される（Ｓ１３）。
【００２１】
音声信号処理部６で遅延処理を行わない場合、ワイヤレス送信ユニット１０におけるＲＦエンコードとバッファリング処理及びワイヤレス受信ユニット１４におけるバッファリング及びデコード処理にある程度の時間を要するため、ワイヤレス伝送によってリア左チャンネルとリア右チャンネルの音声信号が音声信号処理部６から対応するスピーカに入力されるタイミングは、ワイヤード伝送によってフロント左チャンネルとフロント右チャンネルとセンターチャンネルと重低音チャンネルの音声信号が音声信号処理部６から対応するスピーカに入力されるタイミングに比べて、一定時間遅延してしまう。例えば図３はフレーム分割された音声ストリームが２フレーム分遅延する場合を示している。するとリア左チャンネルスピーカとリア右チャンネルスピーカからはフロント左スピーカとフロント右スピーカとセンタースピーカと重低音スピーカより遅れて音声の出力がされることになる。
【００２２】
本発明は、ワイヤード伝送によってフロント左チャンネルとフロント右チャンネルとセンターチャンネルと重低音チャンネルの音声信号が音声信号処理部６から対応するチャンネルスピーカへ入力されるタイミングに対して、ワイヤレス伝送によってリア左チャンネルとリア右チャンネルの音声信号が音声信号処理部６から対応するチャンネルスピーカへ入力されるタイミングが遅れる時間に相当する時間分、フロント左チャンネルとフロント右チャンネルとセンターチャンネルと重低音チャンネルの音声信号のワイヤード伝送を遅延させることによって、各チャンネルスピーカから時間差が生じることがなく、音声が出力される。
【００２３】
尚、前記フロント左チャンネルとフロント右チャンネルとセンターチャンネルと重低音チャンネルの音声信号のワイヤード伝送を遅延させる時間は、ワイヤード伝送によってリア左チャンネルとリア右チャンネルの音声信号が音声信号処理部６から対応するチャンネルスピーカへ入力されるタイミングに対して、ワイヤレス伝送によってリア左チャンネルとリア右チャンネルの音声信号が音声信号処理部６から対応するチャンネルスピーカへ入力されるタイミングが遅れる時間に相当する時間分でもよい。
【００２４】
遅延処理は、例えば次のように行われる。まず、制御部４は、音声信号発生部５から出力された５．１チャンネルのデジタル音声信号のうち、フロント左チャンネルとフロント右チャンネルとセンターチャンネルと重低音チャンネルの音声信号を音声信号処理部６内のメモリ６aに一旦ストアする。そして、音声信号処理部６におけるリア左チャンネルとリア右チャンネルの音声信号の出力開始時から前述した遅延時間分経過した後、制御部４は、音声信号処理部６内のメモリ６aからストアされていたフロント左チャンネルとフロント右チャンネルとセンターチャンネルと重低音チャンネルの音声信号を順次読み出し、これらの音声信号をＤ／Ａ変換部７等を経由して、各々対応するチャンネルスピーカに出力する。
【００２５】
尚、この遅延時間は、主にワイヤレス送信ユニット１０とワイヤレス受信ユニット１４の種類に応じて固有に決定されるものであるため、音声信号処理部６が行う遅延処理の時間はこのワイヤレス送信ユニット１０とワイヤレス受信ユニット１４の種類に応じて設定すればよい。
【００２６】
次に、正常にワイヤレス伝送できていない場合などに、ワイヤレス伝送から、フロントアンプユニット２とリアアンプユニット３間のリア左チャンネルとリア右チャンネルの音声信号の伝送をケーブルＢを用いたワイヤード伝送に切り替える処理について説明する。リア左チャンネルとリア右チャンネルの音声信号をワイヤード伝送する場合は、ワイヤレス伝送時のようにリア左チャンネルとリア右チャンネルの音声信号のバッファリング処理やＲＦエンコード／デコード処理が必要ないため、リア左チャンネルとリア右チャンネルの音声信号と、フロント左チャンネルとフロント右チャンネルとセンターチャンネルと重低音チャンネルの音声信号との間で、音声信号処理部６から対応するチャンネルスピーカへの音声出力に遅延は生じない。
【００２７】
そこで、リア左チャンネルとリア右チャンネルの音声信号についても対応するチャンネルスピーカにワイヤード伝送する場合には、ケーブルＢが接続されたことを検出することにより、ワイヤード伝送を行うことを判断したときには音声信号処理部６における遅延処理を行わないように制御する。
【００２８】
遅延処理の実行についての制御の一例を、図４、図５を用いて説明する。
【００２９】
リア左チャンネルとリア右チャンネルの音声信号の音声信号処理部６から対応するチャンネルスピーカへの伝送をケーブルＢを用いたワイヤード伝送で行うべく、ケーブルＢをソケットＦ１１とソケットＲ１５に接続した場合（Ｓ１でＹ）、フロントアンプユニット２に設けられた電源１６からの５Ｖの電圧はケーブルＢを通ってリアアンプユニット３に設けられたグランドによってアースされる。すると、ケーブルＡを通じて電源１６と接続されている制御部４にＬＯＷの検出信号が出力され（Ｓ２）、制御部４はこのＬＯＷの検出信号を受けて（ワイヤード伝送を行うこと判断して）、音声信号処理部６に遅延処理を行わない旨の信号を出力する（Ｓ３）。この信号を受けた音声信号処理部６はワイヤレス伝送の場合に行っていた遅延処理をせずに、フロント左チャンネルとフロント右チャンネルとセンターチャンネルと重低音チャンネルの音声信号を対応するチャンネルスピーカに出力する（Ｓ４）。従って、上述の遅延処理で行われていた音声信号処理部６におけるフロント左チャンネルとフロント右チャンネルとセンターチャンネルと重低音チャンネルの音声信号の音声信号処理部６内のメモリ６aへのストアはされずに、これらのチャンネル音声信号はリア左チャンネルとリア右チャンネルの音声信号と同じタイミングで対応するチャンネルスピーカに出力される。尚、このワイヤード伝送の場合は、切替部Ｆ９には、ＬＯＷの検知信号が入力され、そのＬＯＷの信号を受けて切替部Ｆ９がアナログ音声信号の信号出力経路をソケットＦ１１側に切替える。また、この場合は、切替部Ｒ１３には、図４に示した接続検知の場合と同様に、リアアンプユニット３に設けられた図示しない電源とフロントアンプ２に設けられた図示しないアースによってＬＯＷの検知信号が出力され、このＬＯＷの検知信号を受けて切替部Ｒ１３がアナログ音声信号の信号出力経路をソケッＲ１５側に切替える。
【００３０】
また、ワイヤレス伝送を行っている際、つまり、ユーザがケーブルＢをソケットＦ１１とソケットＲ１５に接続していない場合（Ｓ１でＮ）、フロントアンプユニット２に設けられた電源１６からの５Ｖの電圧はリアアンプユニット３設けられたグランドによってアースされることがない。従って、この場合、ケーブルＡを通じて電源１６と接続されている制御部４にＨＩＧＨの検知信号が出力され（Ｓ５）、制御部４はこのＨＩＧＨの検出信号を受けて（ワイヤレス伝送を行うことを判断して）、音声信号処理部６に遅延処理を行う旨の信号を出力する（Ｓ６）。この信号を受けた音声信号処理部６は前記遅延処理を実行する（Ｓ７）。尚、このワイヤレス伝送の場合は、切替部Ｆ９には、ＨＩＧＨの検知信号が入力され、そのＨＩＧＨの信号を受けて切替部Ｆ９がアナログ音声信号の信号出力経路をワイヤレス送信ユニット１０側に切替える。また、ワイヤレス伝送の場合は、切替部Ｆ１３には、後述するＨＩＧＨの検知信号が入力され、そのＨＩＧＨの信号を受けて切替部Ｒ１３がアナログ音声信号の信号出力経路をワイヤレス受信ユニット１４側に切替える。
【図面の簡単な説明】
【００３１】
【図１】本発明に係る音響装置の一実施例の概略構成についてのブロック図である。
【図２】５．１チャンネル音声信号のうちリア左チャンネルとリア右チャンネルの音声信号のみをワイヤレス伝送する場合の音声信号処理の流れを示すフローチャートである。
【図３】リア左チャンネルとリア右チャンネルのデジタル音声信号（フレームで分割された音声ストリーム）の遅延を示す概略図である。
【図４】ソケットへのケーブルＢの接続検知の概略説明図である。
【図５】音声信号処理部６において遅延処理を示すフローチャートである。
【符号の説明】
【００３２】
６    音声信号処理部
１０  ワイヤレス送信ユニット
１４  ワイヤレス受信ユニット
【図１】
2005184428.tif 000003
【図２】
2005184428.tif 000004
【図３】
2005184428.tif 000005
【図４】
2005184428.tif 000006
【図５】
2005184428.tif 000007